(57)【特許請求の範囲】
【請求項１】
サービングジェネラルパケット無線サービス（ＧＰＲＳ）サポートノード（ＳＧＳＮ，ｓｅｒｖｉｎｇ  ｇｅｎｅｒａｌ  ｐａｃｋｅｔ  ｒａｄｉｏ  ｓｅｒｖｉｃｅ（ＧＰＲＳ）ｓｕｐｐｏｒｔ  ｎｏｄｅ）において使用される方法であって、
要求されたパケットデータプロトコル（ＰＤＰ，ｐａｃｋｅｔ  ｄａｔａ  ｐｒｏｔｏｃｏｌ）タイプ及び要求されたアクセスポイントネーム（ＡＰＮ，ａｃｃｅｓｓ  ｐｏｉｎｔ  ｎａｍｅ）を含む要求をサービングジェネラルパケット無線サービス（ＧＰＲＳ）サポートノード（ＳＧＳＮ，ｓｅｒｖｉｎｇ  ｇｅｎｅｒａｌ  ｐａｃｋｅｔ  ｒａｄｉｏ  ｓｅｒｖｉｃｅ（ＧＰＲＳ）ｓｕｐｐｏｒｔ  ｎｏｄｅ）において受信するステップと、
前記要求されたＰＤＰタイプ及び前記要求されたＡＰＮを加入者ＰＤＰタイプ及び加入者ＡＰＮを含む加入者情報と比較するステップと、
前記ＰＤＰタイプが加入者ＰＤＰタイプでありかつ前記要求されたＡＰＮが加入者ＡＰＮではない場合において、前記要求されたＡＰＮにアクセスするためのチャージの同意及び契約条件の組への同意無しに前記要求されたＡＰＮは許可されないというメッセージを作成するステップと、
含むことを特徴とする無線通信方法。
【請求項２】
請求項１において、前記メッセージを作成するステップは、前記ＰＤＰタイプが加入者ＰＤＰタイプでありかつ前記要求されたＡＰＮが加入者ＡＰＮである場合には、前記要求されたＡＰＮを提供するステップを含むことを特徴とする無線通信方法。
【請求項３】
請求項１において、前記契約条件の組への同意を示す通信に応答して、前記要求されたＡＰＮを提供するステップをさらに含むことを特徴とする無線通信方法。
【請求項４】
請求項１において、前記加入者ＰＤＰタイプが前記要求されたＰＤＰタイプではない場合に、前記要求を拒否するステップをさらに含むことを特徴とする無線通信方法。
【請求項５】
請求項１において、前記契約条件に同意しない旨の通信に応答して、前記要求を拒否するステップさらに含むことを特徴とする無線通信方法。
【請求項６】
請求項１において、前記要求を受信ステップは、要求されたパケットデータプロトコル（ＰＤＰ）を含んだ要求を受信することを含むことを特徴とする無線通信方法。
【請求項７】
サービングジェネラルパケット無線サービス（ＧＰＲＳ）サポートノード（ＳＧＳＮ，ｓｅｒｖｉｎｇ  ｇｅｎｅｒａｌ  ｐａｃｋｅｔ  ｒａｄｉｏ  ｓｅｒｖｉｃｅ（ＧＰＲＳ）ｓｕｐｐｏｒｔ  ｎｏｄｅ）であって、
要求されたパケットデータプロトコル（ＰＤＰ，ｐａｃｋｅｔ  ｄａｔａ  ｐｒｏｔｏｃｏｌ）タイプ及び要求されたアクセスポイントネーム（ＡＰＮ，ａｃｃｅｓｓ  ｐｏｉｎｔ  ｎａｍｅ）を含む要求を受信するように構成されたレシーバーと、
前記要求されたＰＤＰタイプ及び前記要求されたＡＰＮを加入者ＰＤＰタイプ及び加入者ＡＰＮを含む加入者情報と比較するコンパレータと、
前記ＰＤＰタイプが加入者ＰＤＰタイプでありかつ前記要求されたＡＰＮが加入者ＡＰＮではない場合において、前記要求されたＡＰＮにアクセスするためのチャージの同意及び契約条件の組への同意無しに前記要求されたＡＰＮは許可されないというメッセージを作成するように構成されたユニットと、
含むことを特徴とするＳＧＳＮ。
【請求項８】
請求項７において、前記ＰＤＰタイプが加入者ＰＤＰタイプでありかつ前記要求されたＡＰＮが加入者ＡＰＮである場合には、前記要求されたＡＰＮを提供するユニットをさらに含むことを特徴とするＳＧＳＮ。
【請求項９】
請求項７において、前記契約条件の組への同意を示す通信に応答して、前記要求されたＡＰＮを提供するユニットをさらに含むことを特徴とするＳＧＳＮ。
【請求項１０】
請求項９において、前記ユニットが、前記ＰＤＰタイプが加入者ＰＤＰタイプでありかつ前記要求されたＡＰＮが加入者ＡＰＮである場合には、前記要求されたＡＰＮを提供するような構成されていることを特徴とするＳＧＳＮ。
【請求項１１】
請求項７において、前記加入者ＰＤＰタイプが前記要求されたＰＤＰタイプではない場合に、前記要求を拒否するステップをさらに含むことを特徴とするＳＧＳＮ。
【請求項１２】
請求項７において、前記契約条件に同意しない旨の通信に応答して、前記要求されたＡＰＮ要求を拒否するユニットをさらに含むことを特徴とするＳＧＳＮ。
【発明の詳細な説明】
【技術分野】
【０００１】
本発明は、ワイヤレス通信システムに関する。特に、本発明は、加入者サービスリストに含まれないＡＰＮ（access point name）へのアクセスを許可する方法に関する。
【背景技術】
【０００２】
現行の標準ＡＰＮ選択プロシージャ（APN selection procedure）によれば、モバイルユーザがサブスクライブ（subscribe）しているリストに含まれないあるＡＰＮへのアクセスを、当該モバイルユーザが要求した場合においては、ＤｏＳ（denial of service）（reject ＰＤＰ（packet data protocol）context activation procedure）が行われることになる。
【０００３】
本発明は、当該ユーザが、現在、当該ＡＰＮをサブスクライブしていない旨と、当該ユーザのアカウントにチャージが追加される旨とが、当該ユーザに通知された場合において、当該ユーザに対して、任意のＡＰＮにアクセスするチャンスを与えるプロシージャを提供する。当該ユーザに対しては、アクセスチャージと将来のトラフィックチャージとをカード引き落としとするため、クレジットカード／デビットカード（その他の）情報を提供するように要求することができる。ユーザが、チャージに同意し、かつ／または、クレジットカード／デビットカード情報、すなわち、カード引き落とし情報を提供した場合、サービングＧＰＲＳ（general packet radio service）サポートノード、すなわちＳＧＳＮ（serving GPRS support node）は、当該要求されたＡＰＮを選択し、当該要求されたＡＰＮに対する適正なＧＧＳＮを選択する。
【０００４】
本発明は、現行の標準ＡＰＮ選択プロシージャを拡張しているが、このプロシージャにおいては、アクセス及びコンテンツに対するチャージにユーザが承諾／同意した場合には、そのＡＰＮがユーザのサブスクリプションリストの中になくても、当該ユーザはそのＡＰＮを随意に選択することができる。
【０００５】
本発明に係る技術は、ユーザがアクセスすることが許可されていないドメイン名にユーザがアクセスしようと試みていることを、ユーザに知らせることを含む。プロシージャは、アクセスチャージ及びトラフィックチャージのチャージ請求を行うために、クレジットカード／デビットカード、電子小切手などであることが可能な財務上の確認を要求することにより、そのようなドメインにアクセスするユーザの意志をユーザが確認するように要求する。ＳＧＳＮは、同意とヘリフィケーションがあると、要求されたＡＰＮと適正なＧＧＳＮ（gateway GPRS support node）とを選択して、接続を開始する。
【０００６】
本発明は以下の説明及び添付図面から理解されるであろう。
【発明を実施するための最良の形態】
【０００７】
添付図面においては、同様の要素には同様の参照符号が付してある。
【０００８】
図１はＰＤＰコンテキストアクティベーションプロシージャ（PDP（packet data protocol） context activation procedure）を示す。このＰＤＰコンテキストアクティベーションプロシージャにおいては、ステップＳ１において、移動局１０が、ＳＧＳＮ（serving  ＧＰＲＳ（general packet radio service）support node）１４に対するＰＤＰコンテキスト要求（PDP context request）をアクティベートする。このＰＤＰコンテキスト要求には、ＰＤＰタイプと、ＰＤＰアドレスと、ＡＰＮ（access point name）と、ＱｏＳ（quality of service）等が含まれる。このＡＰＮは、あるパケットデータネットワークに対する参照ポイントを選択し、かつ／又は、サービスを選択するため、使用される。ステップＳ２で、ＳＧＳＮ１４は、このＰＤＰコンテキスト要求を検証（validate）し、要求されたＡＰＮを選択し、このＡＰＮをＧＧＳＮ、例えばＧＧＳＮ１６にマップする。その後、ステップＳ３で、ＳＧＳＮ１４は、ＰＤＰタイプと、ＰＤＰアドレスと、ＡＰＮと、ＱｏＳなどを含むＰＤＰコンテキスト要求を生成する。ステップＳ４で、ＧＧＳＮ１６は、ＴＥＩＤ（tunnel endpoint identifier）と、ＰＤＰアドレスと、ＰＤＰコンフィグレーションオプションと、ＱｏＳと、チャージングＩＤと、チャージング原因とを含むＰＤＰコンテキスト応答（PDP context response）を生成する。ステップＳ５において、既知のＲＡＢ割り当てプロシージャ（RAB assignment procedure）を利用して、ＲＡＢ（radio access bearer）セットアップが、ＳＧＳＮ１４とＲＡＮ（radio access network）１２の間で生成され（ステップＳ５Ａ）、移動局１０とＲＡＮ１２と間で生成される（ステップＳ５Ｂ）。ステップＳ６において、ＳＧＳＮ１４は、既知のプロシージャを採用して、ＲＡＮ１２に対するトレース（trace）をインボークする。
【０００９】
ステップＳ７において、ＳＧＳＮ１４は、ＧＧＳＮ１６に対するＰＤＰコンテキスト要求を更新し、ステップＳ８において、ＧＧＳＮ１６は、このＰＤＰコンテキスト要求の更新に応答して、ＰＤＰコンテキスト応答を更新する。ステップＳ９において、ＳＧＳＮ１４は、ＧＧＳＮアドレスを自らのＰＤＰコンテキストの中に挿入し、ＧＧＳＮ１６から受信したＰＤＰアドレスを移動局１０に送信し、ステップＳ１０で、ＰＤＰタイプと、ＰＤＰアドレスと、ＴＩと、ＱｏＳと、無線優先順位と、パケットフローＩＤと、ＰＤＰコンフィグレーションオプションを含むＰＤＰコンテキスト受信をアクティベートする。
【００１０】
図２はＧＧＳＮ選択を説明するための説明図である。ＵＥ１０は、図１においては移動局として示すものであるが、ＰＤＰタイプ、ＰＤＰアドレス、及びＡＰＮを含む要求を、ＳＧＳＮ１４に送信する。ＳＧＳＮ１４は、ＡＰＮ及び（Ｖ／Ｈ）ＰＬＭＮ（visited/home public land mobile network）−ＯＩを、ＤＳＮ（directory name service）データベース１７に送信し、ＤＳＮデータベース１７は、図において１８で示すＧＧＳＮアドレスを供給するか、あるいは、関連するＧＧＳＮが存在しない場合に図において２０で示すエラーを示すか、のいずれかを行う。
【００１１】
ＳＧＳＮ１４は、ＨＬＲ（home location register）２２から、サブスクライブされた情報、すなわち、ＰＤＰタイプと、ＰＤＰアドレスと、ＡＰＮと、許可されたＶＰＬＭＮ（visited public land mobile network）アドレスとを、受け取る。ＳＧＳＮ１４は、デフォルト２４から、ソフトウェアで提供されたＳＧＳＮ  ＡＰＮも受け取る。このソフトウェアはＳＧＳＮ１４においてハードコード化される。
【００１２】
図３はＡＰＮ選択のための既存のプロシージャを示す。このプロシージャにおいて、ステップＳ１で、ＳＧＳＮ１４は、ＵＥ（例えば図２のＵＥ１０）からＰＤＰコンテキストアクティベーション要求を受け取る。ステップＳ２で、ＳＧＳＮ１４は、ＰＤＰタイプと、ＰＤＰアドレスと、ＡＰＮとを含むオプションの情報をチェックする。ステップＳ３で、仮にこの情報が存在しない場合には、ステップＳ７において、ＳＧＳＮ１４は、当該サブスクライブされた情報をチェックし、ステップＳ８で、仮に当該ＵＥが複数のＰＤＰサブスクリプションを有する場合には、当該要求を拒否する。これは、１つのＰＤＰタイプのみを指定できるからである。他方、当該サブスクライブされた情報をチェックするステップＳ７から、ステップＳ９に進み、ステップＳ９において、仮に当該ＵＥが単一のサブスクリプション（subscription）を有する場合には、ステップＳ１０に進む。ステップＳ１０において、ＳＧＳＮ１４は、当該サブスクライブされた情報であって、ダイナミック（dynamic）アドレスモード又はスタチック（static）アドレスモードのいずれかのアドレスモードと、ＰＤＰタイプとを含み、かつ、仮に、当該サブスクライブされたＡＰＮがワイルドカードであって、ＡＰＮ（Ｒ）がない場合においては、ＳＧＳＮ１４の有する当該サブスクライブされたＡＰＮを含む、情報を提供する。ここに、ワイルドカード（WILDCARD）とは、任意の名前を問題なく使用することができる、ことを意味する。
【００１３】
他方、ステップＳ２からステップＳ４に進み、ステップＳ４において、ＰＤＰタイプ（Ｒ）のみが存在すると判定し、ステップＳ１１において、ＰＤＰタイプ（Ｒ）が、当該サブスクライブされたＰＤＰタイプと同一であると判定した場合には、ステップＳ１０において、ＳＧＳＮ１４は、既にステップＳ１０に関連して説明した情報と同一の情報を提供する。
【００１４】
他方、ステップＳ１１において、仮にＰＤＰタイプ（Ｒ）が、当該サブスクライブされたＰＤＰタイプではないと判定した場合には、ステップＳ１２において、ＳＧＳＮ１４は当該要求を拒否する。
【００１５】
また、ステップＳ１１において、仮にＰＤＰタイプ（Ｒ）が、当該サブスクライブされたＰＤＰタイプと同一であると判定し、ステップＳ１３において、仮にＰＤＰ  ＡＤＤ（Ｒ）が、当該サブスクライブされたＰＤＰ  ＡＤＤと同一であると判定した場合には、ステップＳ１０において、ＳＧＳＮ１４は、上述した情報を提供する。しかし、ステップＳ１３において、仮にＰＤＰ  ＡＤＤ（Ｒ）が、当該サブスクライブされたＰＤＰ  ＡＤＤと同一ではない場合には、ステップＳ１２において、ＳＧＳＮ１４は当該要求を拒否する。ここに、上記（Ｒ）は、当該ＵＥによって要求された（Requested）ことを意味する。当該ネットワークが要求を受け入れるかどうかは、ＨＬＲにおけるサブスクリプション情報に依存して、行うことができる。
【００１６】
さらに、ステップＳ１１において、仮にＰＤＰタイプ（Ｒ）が、当該サブスクライブされたＰＤＰタイプと同一であり、ステップＳ１４において、ＡＰＮ（Ｒ）が当該サブスクライブされたＡＰＮと同一であると判定した場合には、ＳＧＳＮ１４は、ステップＳ１０において、既にステップＳ１０に関連して説明した情報を提供する。しかし、仮にＡＰＮ（Ｒ）が、当該サブスクライブされたＡＰＮと同一ではない場合には、ステップＳ１２において、ＳＧＳＮ１４は当該要求を拒否する。
【００１７】
ステップＳ２において、仮にＰＤＰタイプ（Ｒ）と、ＰＤＰタイプと、ＰＤＰアドレスと、ＡＰＮとが、全て存在する場合には、ステップＳ１６を介してステップＳ１１に進み、ステップＳ１１において、ＰＤＰタイプ（Ｒ）、が当該サブスクライブされたＰＤＰタイプと同一であるかどうかを判定する。仮に同一であると判定した場合には、ステップＳ１４に進む。ステップＳ１４において、仮にＡＰＮ（Ｒ）が、当該サブスクライブされたＡＰＮと同一である場合には、ステップＳ１０において、ＳＧＳＮ１４は、既にステップＳ１０に関連して説明した情報を提供する。他方、ステップＳ１４において、仮にＡＰＮ（Ｒ）が、当該サブスクライブされたＡＰＮと同一ではない場合には、ステップＳ１２において、ＳＧＳＮ１４は当該要求を拒否する。
【００１８】
ステップＳ１４において、仮にＡＰＮ（Ｒ）が、当該サブスクライブされたＡＰＮと同一である場合には、ステップＳ１５に進む。ステップＳ１５において、仮にＰＤＰ  ＡＤＤ（Ｒ）が、当該サブスクライブされたＰＤＰ  ＡＤＤと同一である場合には、ステップＳ１０において、ＳＧＳＮ１４は、既にステップＳ１０に関連して説明した情報を提供する。他方、ステップＳ１５において、仮にＰＤＰ  ＡＤＤ（Ｒ）が、当該サブスクライブされたＰＤＰ  ＡＤＤと同一ではない場合には、ステップＳ１２において、ＳＧＳＮ１４は当該要求を拒否する。
【００１９】
図４は本発明に係る拡張ＡＰＮ選択プロシージャを示す。この拡張ＡＰＮ選択プロシージャにおいては、ステップＳ１において、ＳＧＳＮ１４がＵＥ１０からＰＤＰコンテキストアクティベーション要求を受信したとき（図１及び図２参照）、ステップＳ２において、ＳＧＳＮ１４は、オプションの情報、例えば、ＰＤＰタイプと、ＰＤＰアドレスと、ＡＰＮとをチェックする。ステップＳ３において、仮にＰＤＰタイプ及びＡＰＮのみが存在する場合には、ステップＳ４において、当該ＰＤＰタイプが、当該サブスクライブされたＰＤＰタイプであるかどうかを判定する。仮に当該ＰＤＰタイプが、当該サブスクライブされたＰＤＰタイプではないと判定した場合には、ステップＳ５において、ＳＧＳＮ１４は当該要求を拒否する。他方、仮に当該ＰＤＰタイプが、当該サブスクライブされたＰＤＰタイプと同一である場合には、ステップＳ６において、ＡＰＮを検査する。ステップＳ６において、仮にＡＰＮ（Ｒ）が、当該サブスクライブされたＡＰＮと同一である場合には、既に図３のステップＳ１０に関連して説明した情報と同一の情報を提供する。
【００２０】
他方、ステップＳ６において、仮にＡＰＮ（Ｒ）と当該サブスクライブされたＡＰＮとが同一ではない場合には、ステップＳ７において、ユーザに、ＡＰＮ（Ｒ）が許可されていないことを通知し、仮にＵＥ（移動局）が続行することを望む場合には、当該ＵＥは契約条件に同意し、かつクレジット（またはデビット）カード等の情報を提供しなければならない、ことを通知する。
【００２１】
ステップＳ８において、ＳＧＳＮ１４は当該ＵＥ応答を検査し、仮に当該ＵＥが契約条件が同意した場合には、ステップＳ９において、ＳＧＳＮ１４は、ＡＰＮ（Ｒ）を選択する。他方、仮に当該ＵＥによって契約条件が同意されなかった場合には、ステップＳ５において、ＳＧＳＮ１４は当該要求を拒否する。
【００２２】
また、ステップＳ２において、仮にＰＤＰタイプと、ＰＤＰアドレスと、ＡＰＮとが、すべて存在する場合には、ステップＳ１０に進む。その後、ステップＳ４及びＳ６を繰り返し、各判定結果に応じて、図３のステップＳ５、ステップＳ７、又は図３のステップＳ１０のいずれかに進み、それ以降のステップは、図４のステップＳ３においてＰＤＰタイプ及びＡＰＮのみが当該ＵＥによってＳＧＳＮ１４に提供されるのであれば、既に説明したのと同一になる。
【図面の簡単な説明】
【００２３】
【図１】ＰＤＰコンテキストアクティベーションプロシージャを説明するための説明図である。
【図２】全体的なＧＧＳＮ選択を説明するための説明図である。
【図３】慣用のＡＰＮ選択プロシージャを示す図である。
【図４】本発明に係るＡＰＮ選択プロシージャ（ＳＧＳＮ）を示す図である。
【図１】
0004528726.tif 000002
【図２】
0004528726.tif 000003
【図３】
0004528726.tif 000004
【図４】
0004528726.tif 000005